(57)【要約】【課題】シンプルな構造でコストダウンを図り、設計の自由度を損なうことなく電子基板を接地できるようにする。【解決手段】ガスメータは、電子基板４１と、ケース４２と、計量部本体２１とを備え、電子基板４１の接地のために電子基板４１のアース部と計量部本体２１とを導通させる構造を備えている。ここで導通構造を実現するために、電子基板４１のアース部と計量部本体２１とを導通させるためのアース板６と、電子基板４１とケース４２を計量部本体２１に固定する固定部材であるネジ５とを用いる。そしてネジ５は、電子基板４１をケース４２の所定位置に配置した状態で、電子基板４１とアース板６の一端部と固定し、かつアース板６の他端部が計量部本体２１に接触した状態で、ケース４２及び電子基板４１と計量部本体２１とを固定する。【選択図】図３
2010043902.tif 000002
【特許請求の範囲】
【請求項１】
電子基板と、該電子基板が取り付けられるケースと、前記電子基板とともに前記ケースが取り付けられる計量部本体とを有し、前記電子基板の接地のために該電子基板のアース部と前記計量部本体とを導通させる構造を備えたガスメータにおいて、
前記電子基板のアース部と前記計量部本体とを導通させるためのアース板と、
前記電子基板と前記ケースを前記計量部本体に固定する固定部材とを有し、
該固定部材は、前記電子基板を前記ケースの所定位置に配置した状態で、前記電子基板、前記ケース、及び前記アース板を一体的に固定し、かつ前記アース板の他端部が前記計量部本体に接触した状態で、前記ケース及び前記電子基板と前記計量部本体とを固定していることを特徴とするガスメータ。
【請求項２】
請求項１に記載のガスメータにおいて、前記固定部材はネジであって、前記アース板の一端部にはネジ穴が設けられ、該ネジ穴に対して前記ネジを螺入させることにより、前記電子基板、前記ケース、及び前記アース板が一体的に固定され、かつ前記ネジを前記計量部本体部に螺入させることより、前記ケース及び前記電子基板と前記計量部本体とが固定されていることを特徴とするガスメータ。
【発明の詳細な説明】
【技術分野】
【０００１】
本発明は、ガスメータ、より具体的には、ガス使用量の積算値や使用時の異常情報等を監視する機能を備えた電子式のガスメータに関する。
【背景技術】
【０００２】
ガスメータとしては、ガス使用量の積算値や使用時の異常情報等を監視する電子式のガスメータ（マイコンメータ）が普及しており、通信回線を使用してガスメータからガス事業者へガス使用量の積算値に関する自動検針データを送信したり、ガス使用時の異常情報を送信する集中監視システムも普及している。このようなガスメータにおいては、ダイヤフラムの機械的運動をセンサ等により電気的に検出し、この検出信号に基づいてガスの長時間使用等の異常等について監視を行っている。
【０００３】
ガスメータ本体では、ダイヤフラムの機械的運動に連動した数字車によって積算値の表示を行い、かつ液晶表示装置により監視情報の表示を行っている。
また、ガスメータの安全性を確保する機能として、流量パルス演算時にガス使用が異常であることを内蔵するマイコンが判断した場合や、外部機器に接続された機器より以上信号が入力された場合に、マイコンが遮断弁駆動回路に信号を送って遮断弁を駆動することによりガスを遮断するとともに、異常情報を液晶表示装置に表示する。また、通信回線や読み出し器に接続して検針データや異常情報等の通信を行うことができる。
【０００４】
このような電子式のガスメータは、ガス流量を計量する流量計測手段や遮断弁等を備える本体と、ガスの遮断制御等のガスメータの各種の制御や処理を行う電子回路や液晶表示装置を設けた電子基板と、その電子基板を収容するケースとを有している。そして電子基板を収容したケースが本体に固定されて使用されている。このときに、電子基板のアース部と、アルミダイカスト製の本体とを導通させて、ガス管を介してアース経路を形成させることにより、電子基板を接地していた。
【０００５】
ガスメータに係わるアース構造として、例えば、特許文献１には、ガスメータに内蔵されるガス制御装置のアース構造が開示されている。ここでは、ガス制御装置を構成する回路基板をブラケットに装着し、一端が当該ブラケットのガスメータ本体への固定部に取付け可能となっているアースプレートの他端を前記回路基板のアース部に固着した後に、回路基板をコーティング処理することで、ガス制御装置の回路基板からのアース経路が、当該回路基板のコーティング処理に関係なく、アースプレート、ガスメータ、ガス管を通して地面にまで確実に形成されるようにしている。
【特許文献１】特開２０００−１４６６５９号公報
【発明の開示】
【発明が解決しようとする課題】
【０００６】
従来の電子式のガスメータでは、電子基板とアルミダイカスト製の本体とを導通させるために板金部品を用い、電子基板のアース部と板金部品とを導線を用いて導通させ、さらにその板金部品とアルミダイカスト製の本体とを固定部材で固定することでこれらを導通させて、接地を行なっていた。
しかしながら、このような従来の構成では、導線を用いることにより部品点数が増加し、かつ導線を組み付ける工数が増加することにより高コストとなっていた。さらには、導線を配置する部分の周囲の部品は、導線の這い回しを考慮した部品形状にせざるを得ず、設計の自由度が低いという問題があった。また、特許文献１には、このような電子式のガスメータの電子基板の接地に関する構成は開示されていない。
【０００７】
本発明は、上述のごとき実情に鑑みてなされたもので、シンプルな構造でコストダウンを図り、設計の自由度を損なうことなく電子基板を接地できるようにしたガスメータを提供することを目的とするものである。
【課題を解決するための手段】
【０００８】
上記課題を解決するために、請求項１の発明は、電子基板と、該電子基板が取り付けられるケースと、前記電子基板とともに前記ケースが取り付けられる計量部本体とを有し、前記電子基板の接地のために該電子基板のアース部と前記計量部本体とを導通させる構造を備えたガスメータにおいて、前記電子基板のアース部と前記計量部本体とを導通させるためのアース板と、前記電子基板と前記ケースを前記計量部本体に固定する固定部材とを有し、該固定部材は、前記電子基板を前記ケースの所定位置に配置した状態で、前記電子基板、前記ケース、及び前記アース板を一体的に固定し、かつ前記アース板の他端部が前記計量部本体に接触した状態で、前記ケース及び前記電子基板と前記計量部本体とを固定していることを特徴としたものである。
【０００９】
請求項２の発明は、請求項１の発明において、前記固定部材はネジであって、前記アース板の一端部にはネジ穴が設けられ、該ネジ穴に対して前記ネジを螺入させることにより、前記電子基板、前記ケース、及び前記アース板が一体的に固定され、かつ前記ネジを前記計量部本体部に螺入させることより、前記ケース及び前記電子基板と前記計量部本体とが固定されていることを特徴としたものである。
【発明の効果】
【００１０】
本発明によれば、シンプルな構造でコストダウンを図り、設計の自由度を損なうことなく電子基板を接地できるようにしたガスメータを提供することができる。
【発明を実施するための最良の形態】
【００１１】
図１は、本発明のガスメータの外観構成例を示す斜視図で、図中、１はガスメータ、２は本体、３は上カバー、４は下カバーである。本体２は、アルミ製のダイカストで形成され、ダイヤフラム式流量計測手段や遮断弁等が収容されている。また、上カバー３の内部には、機械式カウンタが収納され、流量計測手段で計測されたガス流量が表示される。また、下カバー４の内部には、ガスの遮断制御等のガスメータの各種の制御や処理を行う電子回路や液晶表示装置が備えられた電子基板が収容されている。上カバー３内の機械式カウンタは、ダイヤフラムの機械的運動に連動した数字車によって積算値の表示を行い、下カバー４内の液晶表示装置は電子基板上の保安部から出力される監視情報の表示を行い、警報等を表示する。
【００１２】
図２は、ガスメータの下カバーの内部の分解斜視図で、図中、４１はガスメータの各種の制御や処理を行う電子回路や液晶表示装置が備えられた電子基板、４２は電子基板４１を収めるケースである。
電子基板４１は、ケース４２に固定された状態で図１の本体２の下側の構造体である計量部本体に取り付けられる。そしてケース４２及び電子基板４１を保護するように、下カバー４がケース４２に対して取り付けられる。
【００１３】
図３は、電子基板とケースを計量部本体に固定する構造を説明するための図で、図中、５はネジ、６はアース板、６１はアース板に設けられたネジ穴、２１は計量部本体、４１１は電子基板に設けられた貫通孔、４２１はケースに設けられた貫通孔、４２２はケースに設けられた突起部である。
計量部本体２１は、図１の本体部２の下側の構造体であり、ダイヤフラムによる流量計測手段を含んでいる。計量部本体２１は、アルミダイカスト製であり、この計量部本体２１に対して、電子基板４１とケース４２とが取り付けられる。なお電子基板４１上の回路部品等はその図示を省略している。
【００１４】
本実施形態に係る構成では、電子基板４１をケース４２に固定するための固定部材としてネジ５を使用し、さらに同じネジ５によって電子基板４１及びケース４２を計量部本体２１に固定している。このときに、ネジ５によってアース板６の一端が電子基板４１のアース部に導通するように固定し、アース板６の他端が計量部本体２１に接触するように構成する。これにより、アース板６によって電子基板４１と計量部本体２１とを導通させ、計量部本体２１に接続されるガス管を介して電子基板４１を接地するようにしている。
【００１５】
ここでは、計量部本体２１にケース４２及び電子基板４１を取り付ける際に、まず、電子基板４１に設けられている貫通孔４１１の１つに、ネジ５を貫通させ、さらにケース４２の貫通孔４２１にそのネジ５を貫通させ、電子基板４１をケース４２内の所定位置に配置させる。また、電子基板４１の他の貫通孔４１１は、ケース４２に設けられた突起部４２２に嵌合することで、電子基板４１が位置決めされる。
【００１６】
このときに、ケース４２の背面側（計量部本体２１側）に、一端部にネジ穴６１を有するアース板６を配置し、ネジ５をアース板６１のネジ穴６１に螺入させる。これにより、電子基板４１とケース４２、及びアース板６が一体的に固定される。そしてこのときに、アース板の一端部と電子基板４１のアース部とが接触するように構成しておくことで、電子基板４１のアース部とアース板６とが導通する。
【００１７】
さらに同じネジ５を使用して、ケース４２を計量部本体２１に取り付けて固定する。計量部本体２１には、ネジ５を螺入するネジ穴を設けておくことにより、ネジ５による固定が可能となる。そしてこのときに、アース板６の他端が計量部本体２１に接触した状態で、ケース４２及び電子基板４１を計量部本体２１に固定する。これにより、電子基板４１のアース部と計量部本体２１とがアース板６を介して導通する。そして、計量部本体２１に接続されるガス管を介して電子基板４１のアース経路が地面にまで到達し、電子基板４１の接地が確立される。
【００１８】
なお、上記の実施形態では、固定部材としてネジ５を使用したが、電子基板４１及びケース４２をアース板６とともに計量部本体２１に固定する固定部材としては、ネジ以外の公知の部材を適宜用いてもよい。例えばリベットやピンなどを用いることもできる。あるいはボルトとナットを用いた構造であってもよい。
【００１９】
上記のような構成によれば、アース板６が電子基板４１のアース部と計量部本体２１とに直接接触しているので、電子基板４１と本体２１とを導通させるための部品を削減することができ、これによりコストダウンを図ることができる。また、電子基板４１と計量部本体２１との導通構造を実現できればアース板６はどのような形状であってもよく、アース板６の固定方式や固定場所などの許容範囲が広がって、周囲の部品の設計の自由度を向上させることができる。
【図面の簡単な説明】
【００２０】
【図１】本発明のガスメータの外観構成例を示す斜視図である。
【図２】ガスメータの下カバーの内部の分解斜視図である。
【図３】電子基板とケースを計量部本体に固定する構造を説明するための図である。
【符号の説明】
【００２１】
１…ガスメータ、２…本体、３…上カバー、４…下カバー、５…ネジ、６…アース板、２１…計量部本体、４１…電子基板、４２…ケース、６１…ネジ穴、４１１…貫通孔、４２１…貫通孔、４２２…突起部。
【図１】
2010043902.tif 000003
【図２】
2010043902.tif 000004
【図３】
2010043902.tif 000005